(57)【要約】      （修正有）【課題】従来からある多孔質膜、多孔質セラミックス等の多孔質材で内部に空間を有するように形成された筒状の分散器の表面に新技術を加えることで、水に溶け込みやすい微細な気泡を創出するエアレーション用分散器を提供する。【解決手段】内部に空間を有するように多孔質膜、多孔質セラミックス等の多孔質材４で形成された分散器２の表面８を、親水性を有する糸状繊維１０で間隙なく巻き付けるように被覆することにより、水に溶け込みやすい微細な気泡を水中に創出する。【選択図】図１
0003130562.tif 000002
【実用新案登録請求の範囲】
【請求項１】
多孔質膜、多孔質セラミックス等の多孔質材で内部に空間を有するように形成された筒状の分散器の表面を、親水性を有する糸状繊維で間隙なく巻き付けるように被覆することにより、分散器より発生する気泡を微細化して水中に放出することを特徴とするエアレーション用分散器。
【請求項２】
多孔質膜、多孔質セラミックス等の多孔質材で内部に空間を有するように形成された筒状の分散器の表面を、親水性を有する織布および不織布等で被覆するとともに、その外周に親水性を有する糸状繊維を巻き付けて、織布および不織布等からなる被覆材による分散器の被覆形態を維持することを特徴とするエアレーション用分散器。
【考案の詳細な説明】
【技術分野】
【０００１】
本考案は、海上、湖沼、河川、汽水域等の一般水域あるいは養殖場の活漁水槽、生簀等において、水質浄化、生物成長用として使用されるエアレーション用の分散器に関するものである。
【背景技術】
【０００２】
上記エアレーション用の分散器としては、一般に多孔質膜、多孔質セラミックス等の多孔質材で内部に空間を有するように形成された筒状の分散器が使用されている。
【０００３】
分散器の内部に形成された空間部には、加圧された空気や酸素が送り込まれ、この加圧された空気や酸素が、多孔質材に施された無数の細孔を透過して水中に気泡の状態で放出されることで、施行水域にエアレーションが行なわれる。
【０００４】
加圧された空気や酸素等の気体は、多孔質膜、多孔質セラミックス等の細孔を透過して水域に放出されるが、これら多孔質材の有する細孔は分散器に送り込む気体の圧力を減ずると分散器内に入水が生じ、気体の圧力を増加すると微細な泡とは表現できない気泡が水域に放出される程度の気孔であり、水中に長く留まることの容易な微細な気泡を創出することは難しいものとなっている。
【考案の開示】
【考案が解決しようとする課題】
【０００５】
養殖場の活漁水槽、生簀等で、水質浄化、生物成長用として使用されるエアレーション用の分散器においては、水に溶け込みやすい形態の微細な気泡を創出できるようにすることが課題となっている。本考案は、従来からある分散器の表面に新技術を加えることで、水に溶け込みやすい微細な気泡を創出するエアレーション用分散器を提供することにある。
【課題を解決するための手段】
【０００６】
本考案は、エアレーション用として広く一般に知られる分散器の表面に新技術を加えることで、水に溶け込みやすい微細な気泡を創出するものであり、内部に空間を有するように多孔質膜、多孔質セラミックス等の多孔質材で形成された分散器の表面を、糸状繊維で巻き付けるように被覆することにより、水に溶け込みやすい微細な気泡を水中に創出するものである。
【考案の効果】
【０００７】
本考案は、エアレーション用として広く一般に知られる分散器の表面に新技術を加えることで、水に溶け込みやすい微細な気泡を創出するものであり、内部に空間を有するように多孔質膜、多孔質セラミックス等の多孔質材で形成された分散器の表面を、親水性を有する糸状繊維で巻き付けるように被覆することにより、気体透過部において泡切れ効果が発現され、水に溶け込みやすい微細な気泡を水中に創出することが容易になる。
【考案を実施するための最良の形態】
【０００８】
エアレーション用分散器としては、多孔質膜、多孔質セラミックス等の多孔質材で内部に空間を有するように形成された筒状の分散器が広く一般に知られている。請求項１に記載の考案は、この筒状の分散器の表面を、絹、綿、麻などを素材とする糸状繊維で間隙なく巻き付けるように被覆することにより、分散器より発生する気泡を微細化して水中に放出することを特徴とするものである。
【０００９】
この考案に採用される糸状繊維は、素材として絹、綿、麻などの天然繊維が親水性を有することから例示されたが、ポリビニールアルコール（ＰＶＡ）は親水性を有するとともに
耐薬品性に優れ、化学繊維の特質として生物分解されないことからも本考案の使用に適した素材といえる。
【００１０】
天然繊維、合成繊維に関わらず親水性を有するものであれば使用に供することができ、また、親水性を持たない素材であっても、親水性を持たせることにより本考案に採用することができる。
【００１１】
請求項２に記載の考案は、エアレーション用として広く一般に知られる分散器の表面を、親水性を有する不織布などで被覆するとともに、その外周に請求項１に記載の糸状繊維を巻き付けて不織布などの被覆材による分散器の被覆形態を維持することを特徴とするエアレーション用分散器であり、分散器より発生する気泡は、分散器の表面を覆う親水性を有する不織布において誘引されるとともに微細化され、微細な気泡が水中に放出される。
【００１２】
以下、本考案を図面に示して説明する。図１は、筒状の分散器の表面を、絹、綿、麻などを素材とする糸状繊維で間隙なく巻き付けるように被覆することを特徴とする請求項１に記載された考案の説明図である。
【００１３】
エアレーション用分散器２としては、多孔質膜、多孔質セラミックス等の多孔質材４で内部に空間６を有するように形成された筒状の分散器が広く一般に知られている。請求項１に記載の考案は、この筒状の分散器の表面８を、絹、綿、麻などを素材とする糸状繊維１０で間隙なく巻き付けるように被覆することにより、分散器より発生する気泡を誘引するとともに微細化して水中に放出することを特徴とするものである。
【００１４】
図２は、請求項２に記載の考案説明図である。エアレーション用として広く一般に知られる分散器２の表面を、親水性を有する織布および不織布１２などで被覆するとともに、その外周に請求項１に記載の糸状繊維１０を巻き付けて親水性を有する織布および不織布１２などの被覆材による分散器の被覆形態を維持することを特徴とするエアレーション用分散器であり、分散器より発生する気泡は、分散器の表面を覆う親水性を有する織布および不織布１２において微細化され、微細な気泡が水中に放出される。
【００１５】
本考案に用いられる織布および不織布等としては、木綿織布も適しているが，パルプと合成繊維との複合不織布も適しており、化学繊維の素材としてはポリビニールアルコール（ＰＶＡ）、ポリエチレン，ポリプロピレン，ポリアミド，ポリエステル，アクリル，ビニロン等が用いられる。また親水性，通気性に加えて耐腐食性を兼ね備えるものであれば、ガラス繊維，金属繊維等との複合不織布或いは複合織布であってもよく、材質，組成，織り方につて特に限定されるものではない。
【００１６】
多孔質膜、多孔質セラミックス等の多孔質材にあって、多孔質膜としてはポリテトラフルオロエチレン（ＰＴＦＥ）多孔質膜、高分子樹脂フィルムにクレーズを生成してなる通気性フィルム等が採用される。
【図面の簡単な説明】
【００１７】
【図１】本考案の請求項１に記載のエアレーション用分散器の説明図。
【図２】本考案の請求項２に記載のエアレーション用分散器の説明図。
【符号の説明】
【００１８】
２    分散器
４    多孔質材
６    空間
８    分散器の表面
１０    糸状繊維
１２    親水性を有する織布および不織布
１４    気体透過孔
【図１】
0003130562.tif 000003
【図２】
0003130562.tif 000004
【手続補正書】
【提出日】平成19年1月30日(2007.1.30)
【手続補正１】
【補正対象書類名】実用新案登録請求の範囲
【補正対象項目名】全文
【補正方法】変更
【補正の内容】
【実用新案登録請求の範囲】
【請求項１】
多孔質膜、多孔質セラミックス等の多孔質材で内部に空間を有するように形成された筒状の分散器の表面を、親水性を有する糸状繊維で間隙なく巻き付けるように被覆することにより、分散器より発生する気泡を微細化して水中に放出することを特徴とするエアレーション用分散器。
【請求項２】
多孔質膜、多孔質セラミックス等の多孔質材で内部に空間を有するように形成された筒状の分散器の表面を、親水性を有する織布および不織布等で被覆することにより、分散器より発生する気泡を微細化して水中に放出するとともに、その外周に糸状繊維を巻き付けて、織布および不織布等からなる被覆材による分散器の被覆形態を維持することを特徴とするエアレーション用分散器。
【手続補正２】
【補正対象書類名】明細書
【補正対象項目名】０００９
【補正方法】変更
【補正の内容】
【０００９】
この考案に採用される糸状繊維は、素材として絹、綿、麻などの天然繊維が親水性を有することから例示されたが、ポリビニルアルコール（ＰＶＡ）をアセタール化して得られるビニロンは親水性を有するとともに耐薬品性に優れ、化学繊維の特質として生物分解されないことからも本考案の使用に適した素材といえる。
【手続補正３】
【補正対象書類名】明細書
【補正対象項目名】００１１
【補正方法】変更
【補正の内容】
【００１１】
請求項２に記載の考案は、エアレーション用として広く一般に知られる分散器の表面を、親水性を有する不織布などで被覆することにより、分散器より発生する気泡を微細化して水中に放出するとともに、その外周に請求項１に記載の糸状繊維を巻き付けて不織布などの被覆材による分散器の被覆形態を維持することを特徴とするエアレーション用分散器であり、分散器より発生する気泡は、分散器の表面を覆う親水性を有する不織布において誘引されるとともに微細化され、微細な気泡が水中に放出される。
【手続補正４】
【補正対象書類名】明細書
【補正対象項目名】００１５
【補正方法】変更
【補正の内容】
【００１５】
本考案に用いられる織布および不織布等としては、木綿織布も適しているが，パルプと合成繊維との複合不織布も適しており、化学繊維の素材としては親水性を有するビニロン、親水処理を施すことによりポリエチレン，ポリプロピレン，ポリアミド，ポリエステル，アクリル等が用いられる。また、親水性，通気性に加えて耐腐食性を兼ね備えるものであれば、ガラス繊維，金属繊維等との複合不織布或いは複合織布であってもよく、材質，組成，織り方につて特に限定されるものではない。